(57)【特許請求の範囲】
【請求項１】
内部に第１の導水空間が形成されたハウジングであって、前記第１の導水空間に水を導入するための第１の供給流路を有するハウジングと、
前記ハウジングの内部に配置された渦流生成部材であって、前記ハウジングの前記第１の供給流路を通って前記第１の導水空間に流入した水を第１の噴出方向に向かって旋回させて第１の渦流を生成する第１の水流制御部を有する渦流生成部材と、
前記ハウジングの前記第１の噴出方向側の端部に取り付けられるエンドキャップであって、対象物に接触可能な接触部を有するエンドキャップと、
前記第１の渦流を噴出する複数の第１の噴出口が形成された第１の噴出部と、
前記第１の噴出部の中央から前記第１の噴出方向に突出する吸込部と、前記第１の噴出部から前記渦流生成部材の近傍まで延びる延出部とを有する吸引ノズルであって、前記吸込部及び前記延出部を貫通する吸引孔が形成された吸引ノズルと
を備え、
前記エンドキャップの前記接触部は、前記吸引ノズルの前記吸込部よりも前記第１の噴出方向側に位置し、
前記吸引ノズルの前記延出部の先端部の外径は、前記渦流生成部材に向かって次第に小さくなっている、
シャワーヘッド。
【請求項２】
内部に第１の導水空間が形成されたハウジングであって、前記第１の導水空間に水を導入するための第１の供給流路を有するハウジングと、
前記ハウジングの内部に配置された渦流生成部材であって、前記ハウジングの前記第１の供給流路を通って前記第１の導水空間に流入した水を第１の噴出方向に向かって旋回させて第１の渦流を生成する第１の水流制御部を有する渦流生成部材と、
前記ハウジングの前記第１の噴出方向側の端部に取り付けられるエンドキャップであって、対象物に接触可能な接触部を有するエンドキャップと、
前記第１の渦流を噴出する複数の第１の噴出口が形成された第１の噴出部と、
前記第１の噴出部の中央から前記第１の噴出方向に突出する吸込部と、前記第１の噴出部から前記渦流生成部材の近傍まで延びる延出部とを有する吸引ノズルであって、前記吸込部及び前記延出部を貫通する吸引孔が形成された吸引ノズルと
を備え、
前記エンドキャップの前記接触部は、前記吸引ノズルの前記吸込部よりも前記第１の噴出方向側に位置し、
前記ハウジングの内部には、前記第１の導水空間から仕切られた第２の導水空間が形成され、
前記ハウジングは、前記第２の導水空間に水を導入するための第２の供給流路をさらに有し、
前記渦流生成部材は、前記ハウジングの前記第２の供給流路を通って前記第２の導水空間に流入した水を第２の噴出方向に沿って旋回させて第２の渦流を生成する第２の水流制御部をさらに有し、
前記第２の渦流を噴出する複数の第２の噴出口が形成された第２の噴出部をさらに備える、
シャワーヘッド。
【請求項３】
前記第２の噴出部と前記渦流生成部材との間に配置される導水部材であって、前記第２の渦流を半径方向外側に導く放射流路を有する導水部材と、
前記導水部材の前記放射流路により導かれた前記第２の渦流を旋回させて前記複数の第２の噴出口に導く複数のスクリューコマと
をさらに備える、請求項２に記載のシャワーヘッド。
【請求項４】
前記複数のスクリューコマは、ガンマ線を放射する鉱物としてウラン（Ｕ）、トリウム（Ｔｈ）、ラジウム（Ｒａ）、ラドン（Ｒｎ）、及びポロニウム（Ｐｏ）のうち少なくとも１つの鉱物を含む樹脂により形成される、請求項３に記載のシャワーヘッド。
【請求項５】
前記ハウジングは、外気を取込可能な吸気口を有し、
前記渦流生成部材は、前記ハウジングの前記吸気口から吸引した空気を前記第２の渦流に供給する吸気流路を有する、
請求項２から４のいずれか一項に記載のシャワーヘッド。
【請求項６】
シャワーホースが接続されるホース接続部であって、前記ハウジングが回転可能に取り付けられるホース接続部をさらに備え、
前記ハウジングは、前記第１の供給流路と前記第２の供給流路とを仕切る仕切壁をさらに有し、
前記ハウジング及び前記ホース接続部は、前記ハウジングが前記ホース接続部に対して相対的に回転することで、前記シャワーホースからの水が前記第１の供給流路及び前記第２の供給流路のいずれか一方に選択的に導入されるように構成される、
請求項２から５のいずれか一項に記載のシャワーヘッド。
【請求項７】
前記エンドキャップの前記接触部は、回転可能な複数のローラから構成される、請求項１から６のいずれか一項に記載のシャワーヘッド。
【請求項８】
前記複数のローラは、ガンマ線を放射する鉱物としてウラン（Ｕ）、トリウム（Ｔｈ）、ラジウム（Ｒａ）、ラドン（Ｒｎ）、及びポロニウム（Ｐｏ）のうち少なくとも１つの鉱物を含む樹脂により形成される、請求項７に記載のシャワーヘッド。
【請求項９】
前記第１の噴出部と前記渦流生成部材との間に配置される整流板であって、前記吸引ノズルの前記延出部を挿通させる開口が形成された整流板をさらに備える、請求項１から８のいずれか一項に記載のシャワーヘッド。
【請求項１０】
内部に第２の導水空間が形成されたハウジングであって、前記第２の導水空間に水を導入するための第２の供給流路を有するハウジングと、
前記ハウジングの内部に配置された渦流生成部材であって、前記ハウジングの前記第２の供給流路を通って前記第２の導水空間に流入した水を第２の噴出方向に向かって旋回させて第２の渦流を生成する第２の水流制御部を有する渦流生成部材と、
前記第２の渦流を噴出する複数の第２の噴出口が形成された第２の噴出部と、
前記第２の噴出部と前記渦流生成部材との間に配置される導水部材であって、前記第２の渦流を半径方向外側に導く放射流路を有する導水部材と、
前記導水部材の前記放射流路により導かれた前記第２の渦流を旋回させて前記複数の第２の噴出口に導く複数のスクリューコマと
を備える、シャワーヘッド。
【請求項１１】
前記複数のスクリューコマは、ガンマ線を放射する鉱物としてウラン（Ｕ）、トリウム（Ｔｈ）、ラジウム（Ｒａ）、ラドン（Ｒｎ）、及びポロニウム（Ｐｏ）のうち少なくとも１つの鉱物を含む樹脂により形成される、請求項１０に記載のシャワーヘッド。
【請求項１２】
前記ハウジングは、外気を取込可能な吸気口を有し、
前記渦流生成部材は、前記ハウジングの前記吸気口から吸引した空気を前記第２の渦流に供給する吸気流路を有する、
請求項１０又は１１に記載のシャワーヘッド。
【発明の詳細な説明】
【技術分野】
【０００１】
本発明は、シャワーヘッドに係り、特に入浴や洗顔の際に使用されるシャワーヘッドに関するものである。
【背景技術】
【０００２】
微細な気泡（マイクロバブル）を含む水流を噴出可能なシャワーヘッドが知られている（特許文献１参照）。このように噴出される水流中にマイクロバブルを含めることで美容効果や洗浄効果の向上が期待されている。最近の美容や健康への関心の高まりとともに、高い美容効果や洗浄効果が得られるシャワーヘッドが求められている。
【先行技術文献】
【特許文献】
【０００３】
【特許文献１】特開２０１０−２８４６１９号公報
【発明の概要】
【発明が解決しようとする課題】
【０００４】
本発明は、このような従来技術の問題点に鑑みてなされたもので、高い美容効果及び洗浄効果が得られるシャワーヘッドを提供することを目的とする。
【課題を解決するための手段】
【０００５】
本発明の第１の態様によれば、高い美容効果及び洗浄効果が得られるシャワーヘッドが提供される。このシャワーヘッドは、内部に第１の導水空間が形成されたハウジングと、上記ハウジングの内部に配置された渦流生成部材とを備える。上記ハウジングは、上記第１の導水空間に水を導入するための第１の供給流路を有する。上記渦流生成部材は、上記ハウジングの上記第１の供給流路を通って上記第１の導水空間に流入した水を第１の噴出方向に向かって旋回させて第１の渦流を生成する第１の水流制御部を有する。上記シャワーヘッドは、上記ハウジングの上記第１の噴出方向側の端部に取り付けられるエンドキャップと、上記第１の渦流を噴出する複数の第１の噴出口が形成された第１の噴出部と、上記第１の噴出部の中央から上記第１の噴出方向に突出する吸込部と、上記第１の噴出部から上記渦流生成部材の近傍まで延びる延出部とを有する吸引ノズルとを備える。上記エンドキャップは、対象物に接触可能な接触部を有する。上記吸引ノズルには、上記吸込部及び上記延出部を貫通する吸引孔が形成される。上記エンドキャップの上記接触部は、上記吸引ノズルの上記吸込部よりも上記第１の噴出方向側に位置する。上記吸引ノズルの上記延出部の先端部の外径は、上記渦流生成部材に向かって次第に小さくなっている。
【０００６】
このような構成によれば、エンドキャップの接触部を対象物に接触させた際に、吸引ノズルの吸込部と対象物との間に隙間が生じるため、対象物に当たった水が差圧によって吸引ノズルの吸引孔に吸い込まれる。したがって、肌や髪の毛に残った洗剤やシャンプー液を吸引ノズルの吸引孔から吸引して除去することが可能となる。これにより、高い美容効果及び洗浄効果を実現することができる。また、このような構成により、第１の渦流が第１の噴出部に向かいやすくなる。
【０００７】
上記エンドキャップの上記接触部は、回転可能な複数のローラから構成されていることが好ましい。エンドキャップの接触部を回転可能なローラにより構成することで、ローラを顔や身体などの対象物上で転がしながらシャワーヘッドを移動させることができ、顔や頭皮、身体のマッサージを行うことができる。
【０００８】
上記複数のローラは、ガンマ線を放射する鉱物としてウラン（Ｕ）、トリウム（Ｔｈ）、ラジウム（Ｒａ）、ラドン（Ｒｎ）、及びポロニウム（Ｐｏ）のうち少なくとも１つの鉱物を含む樹脂により形成されることが好ましい。このように微量のガンマ線を放射する鉱物を含む樹脂によりローラを形成することにより、ローラから放出される微量のガンマ線が肌に適度な刺激を与えて、酸化された肌を還元して活性化し、肌の潤いを増加させることができる。
【０００９】
上記シャワーヘッドは、上記第１の噴出部と上記渦流生成部材との間に配置される整流板を備えていてもよい。この整流板には、上記吸引ノズルの上記延出部を挿通させる開口が形成される。
【００１１】
本発明の第２の態様によれば、高い美容効果及び洗浄効果が得られるシャワーヘッドが提供される。このシャワーヘッドは、内部に第１の導水空間が形成されたハウジングと、上記ハウジングの内部に配置された渦流生成部材とを備える。上記ハウジングは、上記第１の導水空間に水を導入するための第１の供給流路を有する。上記渦流生成部材は、上記ハウジングの上記第１の供給流路を通って上記第１の導水空間に流入した水を第１の噴出方向に向かって旋回させて第１の渦流を生成する第１の水流制御部を有する。上記シャワーヘッドは、上記ハウジングの上記第１の噴出方向側の端部に取り付けられるエンドキャップと、上記第１の渦流を噴出する複数の第１の噴出口が形成された第１の噴出部と、上記第１の噴出部の中央から上記第１の噴出方向に突出する吸込部と、上記第１の噴出部から上記渦流生成部材の近傍まで延びる延出部とを有する吸引ノズルとを備える。上記エンドキャップは、対象物に接触可能な接触部を有する。上記吸引ノズルには、上記吸込部及び上記延出部を貫通する吸引孔が形成される。上記エンドキャップの上記接触部は、上記吸引ノズルの上記吸込部よりも上記第１の噴出方向側に位置する。上記ハウジングの内部には、上記第１の導水空間から仕切られた第２の導水空間が形成されている。上記ハウジングは、上記第２の導水空間に水を導入するための第２の供給流路をさらに有している。また、上記渦流生成部材は、上記ハウジングの上記第２の供給流路を通って上記第２の導水空間に流入した水を第２の噴出方向に沿って旋回させて第２の渦流を生成する第２の水流制御部をさらに有している。上記シャワーヘッドは、上記第２の渦流を噴出する複数の第２の噴出口が形成された第２の噴出部をさらに備えている。このような構成により、第１の噴出部から第１の渦流を噴出するだけではなく、第２の噴出部から第２の渦流を噴出することができるので、シャワーヘッドから噴出できる渦流のバリエーションを増やすことができる。
【００１２】
上記シャワーヘッドは、上記第２の噴出部と上記渦流生成部材との間に配置される導水部材を備えていてもよい。この導水部材は、上記第２の渦流を半径方向外側に導く放射流路を有する。また、上記シャワーヘッドは、上記導水部材の上記放射流路により導かれた上記第２の渦流を旋回させて上記複数の第２の噴出口に導く複数のスクリューコマを備えていてもよい。このようなスクリューコマにより第２の噴出口から噴出される渦流が旋回されるため、顔や髪の毛、身体から汚れや油成分を除去する効果が高まる。
【００１３】
上記複数のスクリューコマは、ガンマ線を放射する鉱物としてウラン（Ｕ）、トリウム（Ｔｈ）、ラジウム（Ｒａ）、ラドン（Ｒｎ）、及びポロニウム（Ｐｏ）のうち少なくとも１つの鉱物を含む樹脂により形成されることが好ましい。このように微量のガンマ線を放射する鉱物を含む樹脂によりスクリューコマを形成することにより、スクリューコマから放出される微量のガンマ線が肌に適度な刺激を与えて、酸化された肌を還元して活性化し、肌の潤いを増加させることができる。
【００１４】
上記ハウジングは、外気を取込可能な吸気口を有していてもよい。上記渦流生成部材は、上記ハウジングの上記吸気口から吸引した空気を上記第２の渦流に供給する吸気流路を有していてもよい。このような吸気流路を介して第２の渦流に空気が取り込まれるので、噴出口から噴出される第２の渦流がマイクロバブルを含んだものとなる。したがって、マイクロバブルを含む第２の渦流により高い美容効果及び洗浄効果を得ることができる。
【００１５】
上記シャワーヘッドは、シャワーホースが接続されるホース接続部をさらに備えていてもよい。このホース接続部には、上記ハウジングが回転可能に取り付けられる。上記ハウジングは、上記第１の供給流路と上記第２の供給流路とを仕切る仕切壁をさらに有していてもよい。上記ハウジング及び上記ホース接続部は、上記ハウジングが上記ホース接続部に対して相対的に回転することで、上記シャワーホースからの水が上記第１の供給流路及び上記第２の供給流路のいずれか一方に選択的に導入されるように構成されていてもよい。このような構成により、ハウジングをホース接続部に対して回転させることで、ハウジングに流入する水を第１の供給流路及び第２の供給流路のいずれかに選択的に導くことができるようになる。
【００１６】
本発明の第３の態様によれば、高い美容効果及び洗浄効果が得られるシャワーヘッドが提供される。このシャワーヘッドは、内部に第２の導水空間が形成されたハウジングと、上記ハウジングの内部に配置された渦流生成部材とを備える。上記ハウジングは、上記第２の導水空間に水を導入するための第２の供給流路を有する。上記渦流生成部材は、上記ハウジングの上記第２の供給流路を通って上記第２の導水空間に流入した水を第２の噴出方向に向かって旋回させて第２の渦流を生成する第２の水流制御部を有する。上記シャワーヘッドは、上記第２の渦流を噴出する複数の第２の噴出口が形成された第２の噴出部と、上記第２の噴出部と上記渦流生成部材との間に配置される導水部材とを備える。上記導水部材は、上記第２の渦流を半径方向外側に導く放射流路を有する。上記シャワーヘッドは、上記導水部材の上記放射流路により導かれた上記第２の渦流を旋回させて上記複数の第２の噴出口に導く複数のスクリューコマを備える。
【００１７】
このような構成によれば、スクリューコマにより第２の噴出口から噴出される渦流が旋回されるため、顔や髪の毛、身体から汚れや油成分を除去する効果が高まる。したがって、高い美容効果及び洗浄効果が得られる。
【００１８】
上記複数のスクリューコマは、ガンマ線を放射する鉱物としてウラン（Ｕ）、トリウム（Ｔｈ）、ラジウム（Ｒａ）、ラドン（Ｒｎ）、及びポロニウム（Ｐｏ）のうち少なくとも１つの鉱物を含む樹脂により形成されることが好ましい。このように微量のガンマ線を放射する鉱物を含む樹脂によりスクリューコマを形成することにより、スクリューコマから放出される微量のガンマ線が肌に適度な刺激を与えて、酸化された肌を還元して活性化し、肌の潤いを増加させることができる。
【００１９】
上記ハウジングは、外気を取込可能な吸気口を有していてもよい。上記渦流生成部材は、上記ハウジングの上記吸気口から吸引した空気を上記第２の渦流に供給する吸気流路を有していてもよい。このような吸気流路を介して第２の渦流に空気が取り込まれるので、噴出口から噴出される第２の渦流がマイクロバブルを含んだものとなる。したがって、マイクロバブルを含む第２の渦流により高い美容効果及び洗浄効果を得ることができる。
【発明の効果】
【００２０】
本発明に係るシャワーヘッドを用いることにより、高い美容効果及び洗浄効果を得ることができる。
【図面の簡単な説明】
【００２１】
【図１】図１は、本発明の一実施形態におけるシャワーヘッドを示す斜視図である。
【図２】図２は、図１のシャワーヘッドを別の角度から見た斜視図である。
【図３】図３は、図１のシャワーヘッドの一部を示す縦断面図である。
【図４】図４は、図１のシャワーヘッドにおけるシャワーヘッド本体を示す横断面図である。
【図５】図５は、図１のシャワーヘッドの一部についての分解斜視図である。
【図６】図６は、図１のシャワーヘッドの一部についての分解斜視図である。
【図７】図７は、図１のシャワーヘッドにおける渦流生成部材を示す正面図である。
【図８】図８は、図７に示す渦流生成部材の左側面図である。
【図９】図９は、図７に示す渦流生成部材の右側面図である。
【図１０】図１０は、シャワーヘッド本体におけるスクリューコマの拡大斜視図である。
【図１１】図１１は、図３に示す状態における水の流れを説明する縦断面図である。
【図１２】図１２は、図３に示す状態からシャワーヘッド本体を１８０度回転させた状態における水の流れを説明する縦断面図である。
【発明を実施するための形態】
【００２２】
以下、本発明に係るシャワーヘッドの実施形態について図１から図１２を参照して詳細に説明する。図１から図１２において、同一又は相当する構成要素には、同一の符号を付して重複した説明を省略する。また、図１から図１２においては、各構成要素の縮尺や寸法が誇張されて示されている場合や一部の構成要素が省略されている場合がある。以下の説明では、特に言及がない場合には、「第１」や「第２」などの用語は、構成要素を互いに区別するために使用されているだけであり、特定の順位や順番を表すものではない。
【００２３】
図１及び図２は、本発明の一実施形態におけるシャワーヘッド１を示す斜視図である。図１及び図２に示すように、本実施形態におけるシャワーヘッド１は、シャワーホース（図示せず）が接続されるホース接続部２と、ホース接続部２に取り付けられるシャワーヘッド本体３と、シャワーヘッド１からの水の噴出のオン／オフを切り替える切替部材４とを含んでいる。ホース接続部２は、切替部材４が取り付けられる円筒状の上側筒体５と、湾曲した筒状の下側筒体６とを含んでいる。下側筒体６は、シャワーホースの端部に設けられたナット部（図示せず）を螺合するための取付部６Ａを有している。なお、本実施形態では、便宜的に、図１及び図２における＋Ｚ方向を「上」又は「上方」といい、−Ｚ方向を「下」又は「下方」ということとする。
【００２４】
図３は、シャワーヘッド１の一部を示す縦断面図、図４は、シャワーヘッド本体３を示す横断面図、図５及び図６は、シャワーヘッド１の分解斜視図である。図３に示すように、上側筒体５は、下側筒体６の上端にネジ止めにより固定され、下側筒体６と一体になっている。図５に示すように、上側筒体５の上部は上部壁５Ｃによって塞がれており、この上部壁５Ｃには、この上部壁５Ｃを貫通する連通孔５Ｂが形成されている。
【００２５】
図５に示すように、切替部材４は、Ｘ方向に延びる棒状の部材であり、上側筒体５に形成された円筒部５Ａの内部にＸ方向に移動可能に収容されている。この切替部材４には、上側筒体５の連通孔５Ｂに対応して、Ｚ方向に貫通する通水孔４Ａが形成されている。これにより、切替部材４が＋Ｘ方向に移動して、切替部材４の通水孔４Ａと上側筒体５の連通孔５Ｂとの位置がＸ方向に揃うと、下側筒体６の内部空間Ｌ（図３参照）と上側筒体５の上部壁５Ｃの上方の空間とが連通され、後述するようにシャワーヘッド本体３から水が噴出するようになっている。
【００２６】
図３から図６に示すように、シャワーヘッド本体３は、Ｘ方向に延びる略筒状のハウジング１０と、ハウジング１０内部の略中央に配置される渦流生成部材２０と、渦流生成部材２０の＋Ｘ方向側に配置される整流板３０と、整流板３０の＋Ｘ方向側に配置される散水板４０（第１の噴出部）と、散水板４０の中央に取り付けられた吸引ノズル５０と、ハウジング１０の＋Ｘ方向側の端部に取り付けられるエンドキャップ６０と、渦流生成部材２０の−Ｘ方向側に配置される導水部材７０と、ハウジング１０のフランジ部１６に取り付けられる噴出キャップ８０（第２の噴出部）と、噴出キャップ８０の外周部に周方向に沿って配置される複数のスクリューコマ９０とを含んでいる。渦流生成部材２０、整流板３０、及び導水部材７０はハウジング１０の内部に収容されている。
【００２７】
図３及び図４に示すように、ハウジング１０の内部には、渦流生成部材２０の＋Ｘ方向側に第１の導水空間Ｓ１が形成され、渦流生成部材２０の−Ｘ方向側に第２の導水空間Ｓ２が形成されている。図３に示すように、ハウジング１０は、Ｘ方向の略中央から下方に延びる円筒部１３を有しており、この円筒部１３には、ハウジング１０内の第１の導水空間Ｓ１に連通する第１の供給流路１１と、ハウジング１０内の第２の導水空間Ｓ２に連通する第２の供給流路１２とが形成されている。円筒部１３の第１の供給流路１１と第２の供給流路１２との間には仕切壁１４が設けられており、この仕切壁１４によって第１の供給流路１１と第２の供給流路１２とが互いに隔絶されている。
【００２８】
図７は、渦流生成部材２０を示す正面図、図８は左側面図、図９は右側面図である。図７から図９に示すように、渦流生成部材２０は、円筒状の本体部２１と、本体部２１の外周を螺旋状に延びる突出部２２とを有している。渦流生成部材２０の突出部２２はハウジング１０の内周面に密着しており、この突出部２２によって上述したようにハウジング１０の内部空間が第１の導水空間Ｓ１と第２の導水空間Ｓ２とに仕切られる。
【００２９】
ハウジング１０の第１の供給流路１１に対向する突出部２２の部分には、第１の供給流路１１から導入される水を本体部２１の周方向に案内する湾曲面２３が設けられている。したがって、ハウジング１０の第１の供給流路１１からハウジング１０の第１の導水空間Ｓ１に導入された水は、渦流生成部材２０の湾曲面２３によって本体部２１の周方向に案内され、突出部２２の側面２４によって＋Ｘ方向に向かって旋回する。このように、本実施形態では、渦流生成部材２０の湾曲面２３及び突出部２２の側面２４が、ハウジング１０の第１の供給流路１１から流入した水をハウジング１０の第１の導水空間Ｓ１内で＋Ｘ方向に沿って旋回させる第１の水流制御部として機能する。
【００３０】
また、ハウジング１０の第２の供給流路１２に対向する突出部２２の部分には、第２の供給流路１２から導入される水を本体部２１の周方向に案内する湾曲面２５が設けられている。したがって、ハウジング１０の第２の供給流路１２からハウジング１０の第２の導水空間Ｓ２に導入された水は、渦流生成部材２０の湾曲面２５によって本体部２１の周方向に案内され、突出部２２の側面２６によって−Ｘ方向に向かって旋回する。このように、本実施形態では、渦流生成部材２０の湾曲面２５及び突出部２２の側面２６が、ハウジング１０の第２の供給流路１２から流入した水をハウジング１０の第２の導水空間Ｓ２内で−Ｘ方向に沿って旋回させる第２の水流制御部として機能する。
【００３１】
図３に戻って、ハウジング１０には、外気を取込可能な吸気口１５が形成されている。渦流生成部材２０の内部には、このハウジング１０の吸気口１５に連通する吸気流路２７が形成されている。この吸気流路２７はハウジング１０内の第２の導水空間Ｓ２に連通している。
【００３２】
ハウジング１０の円筒部１３はホース接続部２の上側筒体５の上端に回転可能に取り付けられている。本実施形態では、ハウジング１０をホース接続部２に対して１８０度回転させることで、下側筒体６の内部空間Ｌから切替部材４の通水孔４Ａ及び上側筒体５の連通孔５Ｂを通ってハウジング１０に流入する水を第１の供給流路１１及び第２の供給流路１２のいずれかに選択的に導くことができるようになっている。図３に示す状態では、下側筒体６の内部空間Ｌから切替部材４の通水孔４Ａ及び上側筒体５の連通孔５Ｂを通って流入する水は、第１の供給流路１１を通ってハウジング１０内の第１の導水空間Ｓ１に導入される。
【００３３】
エンドキャップ６０は、散水板４０の外周部をハウジング１０の端部に挟み込むキャップ本体６１と、キャップ本体６１に形成された複数の凹部６２に回転可能に収容されるローラ６３と、ローラ６３の一部を外部に露出させつつ、ローラ６３が凹部６２から脱落しないようにローラ６３を保持する保持リング６４とを有している。ローラ６３は、微量のガンマ線を放射する鉱物を含む樹脂により形成されている。このような鉱物の例としては、ウラン（Ｕ）、トリウム（Ｔｈ）、ラジウム（Ｒａ）、ラドン（Ｒｎ）、ポロニウム（Ｐｏ）などが挙げられる。本実施形態におけるエンドキャップ６０は、８個のローラ６３を有しているが、ローラ６３の個数はこれに限られるものではない。
【００３４】
図１及び図５に示すように、散水板４０の吸引ノズル５０の周囲には、散水板４０をＸ方向に貫通する複数の噴出口４１が形成されている。図３に示すように、散水板４０の中央に位置する吸引ノズル５０は、エンドキャップ６０の保持リング６４の半径方向内側の位置から渦流生成部材２０の近傍まで−Ｘ方向に延びており、散水板４０から＋Ｘ方向に延びる吸込部５１と、散水板４０から−Ｘ方向に延びる延出部５２とを有している。吸引ノズル５０の延出部５２は、整流板３０に形成された開口３１の半径方向内側を通って渦流生成部材２０の近傍まで延びている。吸引ノズル５０の中央には、吸引ノズル５０をＸ方向に貫通する吸引孔５３が形成されている。また、吸引ノズル５０の延出部５２の−Ｘ方向側の先端部の外径は−Ｘ方向に向かって次第に小さくなっている。
【００３５】
図３及び図４に示すように、エンドキャップ６０のローラ６３は、吸引ノズル５０の吸込部５１よりも＋Ｚ方向側に位置している。したがって、シャワーヘッド本体３を例えば使用者の顔や髪の毛、身体など（対象物）に接触させた際には、ローラ６３が対象物に接触し、対象物と吸引ノズル５０の吸込部５１との間には隙間が形成されるようになっている。このように、本実施形態におけるローラ６３は、使用者の顔や髪の毛、身体などの対象物に接触可能な接触部として機能する。
【００３６】
図１０は、スクリューコマ９０の拡大斜視図である。図１０に示すように、スクリューコマ９０は、噴出キャップ８０に係合する第１の係合部９１と、導水部材７０に係合する第２の係合部９２と、第１の係合部９１の−Ｘ方向側で螺旋状に延びるスクリュー部９３とを有している。スクリューコマ９０は、微量のガンマ線を放射する鉱物を含む樹脂により形成されている。このような鉱物の例としては、ウラン（Ｕ）、トリウム（Ｔｈ）、ラジウム（Ｒａ）、ラドン（Ｒｎ）、ポロニウム（Ｐｏ）などが挙げられる。なお、スクリューコマ９０の数は図示のものに限られるものではない。
【００３７】
図２及び図６に示すように、噴出キャップ８０の外周領域には、上述したスクリューコマ９０に対応して、噴出キャップ８０をＸ方向に貫通する複数の外側噴出口８１（第２の噴出口）が形成されている。また、噴出キャップ８０の外側噴出口８１の半径方向内側の領域には、噴出キャップ８０をＸ方向に貫通する複数の内側噴出口８２（第２の噴出口）が形成されている。
【００３８】
図３及び図４に示すように、導水部材７０は、円筒状の基部７１と、基部７１の外周部に設けられた周壁７２とを有している。導水部材７０の基部７１はハウジング１０の内面に接しており、周壁７２の先端は噴出キャップ８０の内面に接している。したがって、導水部材７０と噴出キャップ８０との間の空間が、導水部材７０の周壁７２によって、導水部材７０の周壁７２よりも半径方向外側に位置する外側空間Ｐ１と、周壁７２よりも半径方向内側に位置する内側空間Ｐ２とに仕切られている。上述したスクリューコマ９０は外側空間Ｐ１に配置されており、この外側空間Ｐ１は噴出キャップ８０の外側噴出口８１に連通している。また、内側空間Ｐ２は噴出キャップ８０の内側噴出口８２に連通している。
【００３９】
また、図３及び図４に示すように、導水部材７０は、中央からＸ方向に延びる中央流路７３と、中央流路７３から半径方向外側に沿って延び、外側空間Ｐ１に連通する複数の放射流路７４と、放射流路７４の途中からＸ方向に延び、内側空間Ｐ２に連通する複数の連絡流路７５とを有している。
【００４０】
シャワーヘッド本体３が図３に示す状態にあるとき、図１１に示すように、下側筒体６の内部空間Ｌからの水は、切替部材４の通水孔４Ａ及び上側筒体５の連通孔５Ｂを通ってハウジング１０の第１の供給流路１１に流入する（水流Ｗ１）。この水流Ｗ１は、ハウジング１０の第１の供給流路１１から第１の導水空間Ｓ１に入り、渦流生成部材２０の突出部２２の湾曲面２３によって本体部２１の周方向に案内される。本体部２１の周方向に案内された水流は、突出部２２の側面２４によって＋Ｘ方向（第１の噴出方向）に向かって旋回する渦流Ｗ２（第１の渦流）となる。この渦流Ｗ２は整流板３０の開口３１を通過し（水流Ｗ３）、散水板４０の噴出口４１から＋Ｘ方向（第１の噴出方向）に噴出される（水流Ｗ４）。使用者は、この散水板４０の噴出口４１から噴出される水流Ｗ４を顔や髪の毛、身体の洗浄などに用いることができる。
【００４１】
本実施形態におけるシャワーヘッド１は、このような使用形態に加えて、エンドキャップ６０のローラ６３を顔や髪の毛、身体などの対象物Ｂ（図１１参照）に接触させることができる。上述したように、ローラ６３は回転可能に構成されているため、ローラ６３を顔や身体などの対象物Ｂ上で転がしながらシャワーヘッド１を移動させることができる。これにより顔や頭皮、身体のマッサージを行うことができる。特に、本実施形態におけるローラ６３は、微量のガンマ線を放射する鉱物を含む樹脂により形成されているため、ローラ６３から放出される微量のガンマ線が肌に適度な刺激を与えて、酸化された肌を還元して活性化し、肌の潤いを増加させることができる。
【００４２】
また、図１１に示すように、エンドキャップ６０のローラ６３を対象物Ｂに接触させた際に、吸引ノズル５０の吸込部５１と対象物Ｂとの間に隙間が生じるため、対象物Ｂに当たった水が差圧によって吸引ノズル５０の吸引孔５３に吸い込まれる（水流Ｗ５及びＷ６）。したがって、肌や髪の毛に残った洗剤やシャンプー液を吸引ノズル５０の吸引孔５３から吸引して除去することが可能である。
【００４３】
シャワーヘッド本体３を図３に示す状態からホース接続部２に対して１８０度回転させると、図１２に示す状態となる。図１２においては、理解を容易にするため、シャワーヘッド本体３の向きを図３に示す状態と同一にして図示している（すなわち、ホース接続部２の向きが図３と反対になっている）。シャワーヘッド本体３が図１２に示す状態にあるとき、下側筒体６の内部空間Ｌからの水は、切替部材４の通水孔４Ａ及び上側筒体５の連通孔５Ｂを通ってハウジング１０の第２の供給流路１２に流入する（水流Ｗ１１）。この水流Ｗ１１は、ハウジング１０の第２の供給流路１２から第２の導水空間Ｓ２に入り、渦流生成部材２０の突出部２２の湾曲面２５によって本体部２１の周方向に案内される。本体部２１の周方向に案内された水流は、突出部２２の側面２６によって−Ｘ方向に向かって旋回する渦流Ｗ１２（第２の渦流）となる。
【００４４】
ここで、第２の導水空間Ｓ２は渦流生成部材２０の吸気流路２７及びハウジング１０の吸気口１５を介して外部空間に連通しているため、渦流Ｗ１２の発生に伴って外気が吸気口１５から吸気流路２７を通って第２の導水空間Ｓ２に吸い込まれる（空気流Ａ１及びＡ２）。このように渦流Ｗ１２は吸気流路２７から空気を取り込みながら旋回するため、渦流Ｗ１２内にマイクロバブルを生じさせることができる。
【００４５】
このマイクロバブルを含んだ渦流Ｗ１２は、導水部材７０の中央流路７３を通って（水流Ｗ１３）放射流路７４に流入する。放射流路７４に流入した水の一部は、放射流路７４を通って外側空間Ｐ１に流れ込む（水流Ｗ１４）。外側空間Ｐ１に流れ込んだ水流Ｗ１４はスクリューコマ９０のスクリュー部９３でさらに旋回され、噴出キャップ８０の外側噴出口８１から−Ｘ方向（第２の噴出方向）に噴出される（水流Ｗ１５）。使用者は、この噴出キャップ８０の外側噴出口８１から噴出される水流Ｗ１５を顔や髪の毛、身体の洗浄などに用いることができる。この水流Ｗ１５は柔らかい流れとすることができるので特に洗顔などに適したものとなる。
【００４６】
本実施形態における水流Ｗ１５はスクリューコマ９０のスクリュー部９３で旋回されているため、顔や髪の毛、身体から汚れや油成分を除去する効果が高まる。特に、本実施形態におけるスクリューコマ９０は、微量のガンマ線を放射する鉱物を含む樹脂により形成されているため、スクリューコマ９０から放出される微量のガンマ線が肌に適度な刺激を与えて、酸化された肌を還元して活性化し、肌の潤いを増加させることができる。
【００４７】
また、放射流路７４に流入した水の他の一部は、連絡流路７５を通って内側空間Ｐ２に流れ込む（水流Ｗ１６）。内側空間Ｐ２に流れ込んだ水流Ｗ１６は、噴出キャップ８０の内側噴出口８２から−Ｘ方向（第２の噴出方向）に噴出される（水流Ｗ１７）。使用者は、この噴出キャップ８０の内側噴出口８２から噴出される水流Ｗ１７を顔や髪の毛、身体の洗浄などに用いることができる。この水流Ｗ１７は水流Ｗ１５よりも強い流れとすることができるので特に洗髪などに適したものとなる。
【００４８】
本実施形態では、上述したようにハウジング１０の吸気口１５及び渦流生成部材２０の吸気流路２７を介して渦流Ｗ１２に空気が取り込まれるので、噴出キャップ８０から噴出される水流Ｗ１５，Ｗ１７がマイクロバブルを含んだものとなる。したがって、噴出キャップ８０から噴出される水流Ｗ１５，Ｗ１７は高い洗浄効果を発揮することができる。なお、本実施形態では、水流Ｗ１５と水流Ｗ１７が同時に噴出キャップ８０から噴出される構成となっているが、水流Ｗ１５と水流Ｗ１７とを切り替えて噴出するように流路７３〜７５を構成してもよい。
【００４９】
また、ホース接続部２の下側筒体６の内部空間Ｌ（図３参照）に、例えば発泡させた活性炭を筒状にしたフィルタ部材を充填して水中の塩素除去を促進したり、水中に含まれる空気を微細化できる添加部材を充填したりしてもよい。
【００５０】
なお、本明細書において使用した用語「上」、「下」、その他の位置関係を示す用語は、図示した実施形態との関連において使用されているのであり、装置の相対的な位置関係によって変化するものである。
【００５１】
これまで本発明の好ましい実施形態について説明したが、本発明は上述の実施形態に限定されず、その技術的思想の範囲内において種々異なる形態にて実施されてよいことは言うまでもない。
【符号の説明】
【００５２】
１      シャワーヘッド
２      ホース接続部
３      シャワーヘッド本体
４      切替部材
５      上側筒体
６      下側筒体
１０      ハウジング
１１      第１の供給流路
１２      第２の供給流路
１３      円筒部
１４      仕切壁
１５      吸気口
２０      渦流生成部材
２１      本体部
２２      突出部
２３，２５      湾曲面
２４，２６      側面
２７      吸気流路
３０      整流板
４０      散水板（第１の噴出部）
４１      噴出口（第１の噴出口）
５０      吸引ノズル
５１      吸込部
５２      延出部
５３      吸引孔
６０      エンドキャップ
６１      キャップ本体
６３      ローラ
６４      保持リング
７０      導水部材
７１      基部
７２      周壁
７３      中央流路
７４      放射流路
７５      連絡流路
８０      噴出キャップ（第２の噴出部）
８１      外側噴出口（第２の噴出口）
８２      内側噴出口（第２の噴出口）
９０      スクリューコマ
９１      第１の係合部
９２      第２の係合部
９３      スクリュー部
Ｂ      対象物
Ｓ１      第１の導水空間
Ｓ２      第２の導水空間
【要約】
【課題】高い美容効果及び洗浄効果が得られるシャワーヘッドを提供する。
【解決手段】シャワーヘッド１は、ハウジング１０と、ハウジング１０の内部に配置された渦流生成部材２０とを備える。上記ハウジングは、上記第１の導水空間に水を導入するための第１の供給流路を有する。渦流生成部材２０は、第１の導水空間Ｓ１に流入した水を＋Ｘ方向に向かって旋回させて渦流Ｗ２を生成する。シャワーヘッド１は、対象物Ｂに接触可能なローラ６３を有するエンドキャップ６０と、渦流Ｗ４を噴出する噴出口４１が形成された散水板４０と、散水板４０の中央から＋Ｘ方向に突出する吸込部５１と、散水板４０から渦流生成部材２０の近傍まで延びる延出部５２とを有する吸引ノズル５０とを備える。吸引ノズル５０には、吸込部５１及び延出部５２を貫通する吸引孔５３が形成される。エンドキャップ６０のローラ６３は、吸引ノズル５０の吸込部５１よりも＋Ｘ方向側に位置する。
【選択図】図１【図１】
0006754508.tif 000002
【図２】
0006754508.tif 000003
【図３】
0006754508.tif 000004
【図４】
0006754508.tif 000005
【図５】
0006754508.tif 000006
【図６】
0006754508.tif 000007
【図７】
0006754508.tif 000008
【図８】
0006754508.tif 000009
【図９】
0006754508.tif 000010
【図１０】
0006754508.tif 000011
【図１１】
0006754508.tif 000012
【図１２】
0006754508.tif 000013